(57)【要約】【課題】  記録画像に付加される付加情報の内容を知らなくても、付加情報の内容を使って検索を行えるようにする。【解決手段】  一覧画面上で画像を選択すると、システム制御部（２４）は、その画像の付加情報をＬＣＤ表示部（２２）に表示する。ユーザは、表示された付加情報中から検索キーとするものを選択し、検索の実行をシステム制御部（２４）に指示する。システム制御部（２４）は、その検索キーで記録画像を検索する。【選択図】  図１
2011108190.tif 000002
【特許請求の範囲】
【請求項１】
画像と画像に付加されている付加情報を再生する画像再生装置であって、
画像を選択する画像選択手段と、
前記画像選択手段により選択された画像の付加情報を選択する付加情報選択手段と、
前記付加情報選択手段によって選択された付加情報に関わる画像を検索する画像検索手段と、
前記画像検索手段で検索された画像をグループ情報として記憶する記憶手段
とを有することを特徴とする画像再生装置。
【請求項２】
画像と画像に付加されている付加情報を再生する画像再生装置であって、
画像を選択する第１画像選択手段と、
前記第１画像選択手段により選択された画像の付加情報を選択する第１付加情報選択手段と、
前記第１付加情報選択手段によって選択された付加情報に関わる画像を検索する第１画像検索手段と、
前記第１画像検索手段によって検索された画像を選択する第２画像選択手段と、
前記第２画像選択手段により選択された画像の付加情報を選択する第２付加情報選択手段と、
前記第１画像検索手段の検索結果から、前記第２付加情報選択手段によって選択された付加情報に関わる画像を検索する第２画像検索手段
とを有することを特徴とする画像再生装置。
【請求項３】
更に、前記グループ情報を表示する表示手段を有することを特徴とする請求項１又は２に記載の画像再生装置。
【請求項４】
前記グループ情報は、前記画像検索手段で検索された画像、及び前記画像選択手段でされた画像の少なくともの一方のサムネイル画像を含むことを特徴とする請求項３に記載の画像再生装置。
【請求項５】
前記グループ情報は、検索された画像の合計再生時間、画像数及び合計記憶容量の何れか、並びに、検索された画像における選択された画像の再生開始時間、相対位置情報、及び検索画像における選択シーンの相対記憶容量の何れかを含むことを特徴とした請求項３又は４に記載の画像再生装置。
【請求項６】
前記付加情報は、記録モード情報、撮影日時情報、イベント情報、シーンモード、ユーザによって付加された選択情報、プロテクト情報、画像情報名、ＧＰＳ情報、及び、音声認識情報のいずれかであることを特徴とする請求項１乃至５の何れか１項に記載の画像再生装置。
【発明の詳細な説明】
【技術分野】
【０００１】
本発明は、画像再生装置に関する。
【背景技術】
【０００２】
【先行技術文献】
【特許文献】
【０００３】
【特許文献１】特開平８−６２７５４号公報
【０００４】
デジタルビデオカメラ及びデジタルカメラなどの撮像装置では、近年、高性能化により一つの映像情報又は画像情報に付加される情報が増加している。例えば、日時情報、ＧＰＳ等による位置情報、顔認識情報、ユーザが設定するイベント情報、記録フォーマット情報、プロテクト情報、及び、再生時にユーザが指定するユーザ選択情報などがある。
【０００５】
これらの付加情報は、例えば再生時においては、イベント情報ごと又は顔認識情報ごとなどにグループ分けされ、グループ毎で再生を行うために使用される。
【０００６】
また、記録した映像情報を別の記録媒体にバックアップする場合、記録日でまとめて、又はユーザ選択された映像シーンをまとめて、バックアップすることがある。このように需要に沿って、付加情報の要素毎にグルーピング専用キー又は専用メニューを用意し、ユーザによるグループ単位でのバックアップを容易にする装置が製品化されている。
【０００７】
特許文献１には、記録映像の全体についての付加情報を一覧できる構成が記載されている。
【発明の概要】
【発明が解決しようとする課題】
【０００８】
従来技術では、付加情報に応じて用意されるグルーピング画面を有効に利用するには、ユーザは、予め付加情報の種類を知悉していなければならない。
【０００９】
付加情報の要素ごとに専用キー又は専用メニューを用意する構成では、要素の増加に伴い専用キー等も増加することになり、操作画面が煩雑になる。
【００１０】
特許文献１に記載の方法では、所望の付加情報を持つ映像情報全体を俯瞰することができない。
【００１１】
本発明は、このような課題を解決し、ユーザの検索性を向上させた画像再生装置を提示することを目的とする。
【課題を解決するための手段】
【００１２】
本発明に係る画像再生装置は、画像と画像に付加されている付加情報を再生する画像再生装置であって、画像を選択する画像選択手段と、前記画像選択手段により選択された画像の付加情報を選択する付加情報選択手段と、前記付加情報選択手段によって選択された付加情報に関わる画像を検索する画像検索手段と、前記画像検索手段で検索された画像をグループ情報として記憶する記憶手段とを有することを特徴とする。
【００１３】
本発明に係る画像再生装置は、画像と画像に付加されている付加情報を再生する画像再生装置であって、画像を選択する第１画像選択手段と、前記第１画像選択手段により選択された画像の付加情報を選択する第１付加情報選択手段と、前記第１付加情報選択手段によって選択された付加情報に関わる画像を検索する第１画像検索手段と、前記第１画像検索手段によって検索された画像を選択する第２画像選択手段と、前記第２画像選択手段により選択された画像の付加情報を選択する第２付加情報選択手段と、前記第１画像検索手段の検索結果から、前記第２付加情報選択手段によって選択された付加情報に関わる画像を検索する第２画像検索手段とを有することを特徴とする。
【発明の効果】
【００１４】
本発明によれば、ユーザが選んだ画像情報に付加されている付加情報を検索キーとして画像情報を検索できるので、付加情報の内容を知らなくても、付加情報を使った検索が可能になる。検索キーの設定も容易になる。
【図面の簡単な説明】
【００１５】
【図１】本発明の一実施例の概略構成ブロック図である。
【図２】再生モード時に表示されるサムネイル一覧表示画面例である。
【図３】付加情報が表示されているサムネイル一覧表示画面例である。
【図４】「旅行」イベントのグルーピング画面例である。
【図５】撮影日のグルーピング画面例である。
【図６】付加情報表示のフローチャートである。
【図７】付加情報表示の選択のフローチャートである。
【図８】検索結果リスト例である。
【図９】別のグルーピング画面例である。
【図１０】図９に対応する付加情報表示のフローチャートである。
【図１１】図９に対応する付加情報表示の選択のフローチャートである。
【発明を実施するための形態】
【００１６】
以下、図面を参照して、本発明の実施例を詳細に説明する。
【実施例１】
【００１７】
図１は、本発明に係る画像再生装置の一例であるデジタルビデオカメラの概略構成ブロック図を示す。
【００１８】
１０は撮影を行うためのカメラ部である。カメラ部１０からの映像信号は、映像用ＳＤＲＡＭ１２に一旦記憶された後、撮影情報などの情報を付加され、さらに圧縮されてメディア記録部１４に記録される。
【００１９】
再生モードでは、メディア記録部１４は、記録された映像情報を伸長し、必要な情報を抽出し、映像用ＳＤＲＡＭ１２に一旦記憶する。一方、画像重畳用データ作成部１６が、再生時の情報表示を行うための重畳用データを作成する。重畳用データは、映像用ＳＤＲＡＭ１２に取り込まれた情報の文字表示なども含む。作成された重畳用データは、重畳データ用ＳＤＲＡＭ１８に記憶され、適宜のタイミングで画像合成部２０に読み出される。画像合成部２０は、映像用ＳＤＲＡＭ１２からの映像情報に、重畳データ用ＳＤＲＡＭ１８からの重畳用データを合成する。ＬＣＤ表示部２２は、画像合成部２０により合成された画像を表示する。
【００２０】
システム制御部２４が、これらの記録再生動作について各部を制御する。ユーザは、操作用スイッチ部２６を使って、種々の指示をシステム制御部２４に入力できる。システム制御部２４は、特許請求の範囲の画像選択手段、付加情報選択手段、画像検索手段及び記憶手段として機能する。
【００２１】
図２は、再生モードにおける記録シーン一覧画面例を示す。記録シーンの情報として、画面中央に１５枚のサムネイル画像が表示される。ユーザはこれらのサムネイル画像を図上のカーソルで選択できる。１画面に表示される記録シーン数は１５シーンである。１５シーン以上ある場合には、画面左上にカーソルを移動し、さらに左へカーソルを移動する操作を行うと、１５枚単位で先のサムネイル画像に更新できる。また、右下部にカーソルを移動し、さらに右へカーソルを移動する操作を行うと、１５枚単位で後方のサムネイル画像に更新できる。
【００２２】
バッテリ駆動時には、画面右上にバッテリ残量が表示される。画面左下には現在カーソルが置かれているシーンの撮影日時が表示される。右下のトータルシーンの左側には、現在カーソルが置かれているシーンが全シーンからみて何シーン目であるかが表示される。
【００２３】
この状態で、ユーザは、現在選択しているシーンについての付加情報として、撮影日時、相対シーン番号及びトータルシーン数を確認できる。ユーザがこれ以上の付加情報を必要とする場合には、詳細付加情報表示を操作用スイッチ部２６によってシステム制御部２４に指示する。この指示に対して、図３に示すように、カーソルが置かれているシーンの付加情報が吹き出しで表示される。図３に示す例では、付加情報は、ユーザ設定イベント（「旅行」というカテゴリ名）、撮影日時情報、記録モード（ＳＰと呼ばれる記録レートでの記録モード）、及び顔検出情報（顔アイコン）からなる。ユーザは、付加情報の、「旅行」、「撮影日時」、「ＳＰ」及び「顔アイコン」のいずれかを選択できる。いずれかの選択により、選択された付加情報に一致するシーン全体についてのグルーピング画面に移行する。
【００２４】
付加情報として、その他に、シーンモード、ユーザによって付加された「お気に入り」などの選択情報、プロテクト情報、顔以外の画像認識情報、ＧＰＳ情報及び音声認識情報などのいずれかを表示しても良い。表示すべき付加情報は、ユーザが別途、メニューなどで選択できる。
【００２５】
図４は、「旅行」を選択した場合の「旅行」イベントでグルーピングされたシーンのグルーピング画面の一例を示す。図４に示す画面に入った時点では、カーソルは、中央やや下に表示されたサムネイル画面中、この画面に入る直前に選択していたシーンに置かれている。左右に移動して前後のシーンの内容を見ることが可能となっている。
【００２６】
他の表示について、上から順に説明すると、画面左上に、検索元である「旅行」イベントのグルーピング画面であることを示すタイトルが表示される。このタイトル内の「旅行」の部分はユーザによって変更可能で、他のイベントによるグルーピング画面へ移行することが可能となっている。
【００２７】
その下に、グルーピングされた全画面についての情報が表示される。「ＴＯＴＡＬ」の欄に、グルーピングされたシーンの合計再生時間、その下に合計記憶容量が表示されている。
【００２８】
「ＴＯＴＡＬ」の下の「ＮＯＷ」の欄には、現在カーソルが置かれているシーンに関する情報が表示される。すなわち、グルーピングされたシーンから見た再生開始時間、相対シーン番号、グルーピングされたシーンの合計シーン数が表示されている。その下に、現在カーソルが置かれているシーンまでの記憶容量と撮影日時が表示されている。
【００２９】
図５は、撮影日時を選択した場合の撮影日でグルーピングされたシーンのグルーピング画面例を示す。図５に示す画面に入った時点では、カーソルは画面下に表示されたサムネイル画面中、この画面に入る直前に選択していたシーンに置かれている。左右に移動して前後のシーンの内容を確認することが可能になっている。
【００３０】
他の表示について、上から順に説明すると、画面左上に検索元の撮影日がタイトルとして表示されている。このタイトルの撮影日はユーザによって変更可能で、他の日時によるグルーピング画面へ移行することが可能になっている。
【００３１】
画面右上には、現在グルーピングしている撮影日に撮影されたシーン全体の情報が表示される。「ＴＯＴＡＬ」の欄に、グルーピングされたシーンの合計再生時間、その下に合計記憶容量が表示されている。
【００３２】
「ＴＯＴＡＬ」の下の「ＮＯＷ」の欄には、現在カーソルが置かれているシーンに関する情報が表示される。図５に示す例では、グルーピングされたシーンから見た再生開始時間、現在カーソルが置かれているシーンまでの記憶容量、相対シーン番号、グルーピングされたシーンの合計シーン数が表示されている。相対シーン番号の代わりに相対画像番号でもよく、合計シーン数の代わりに合計画像数でもよい。また、カーソルが置かれたサムネイル画像の上部には、撮影時間が表示されている。
【００３３】
図６は、図３で示される付加情報表示のための表示処理のフローチャートである。まず、選択したシーンの位置に応じた吹き出し表示を行う（Ｓ１）。イベント情報が付加されているかどうかを判別し（Ｓ２）、付加されている場合（Ｓ２）、イベント種別を取得し（Ｓ３）、イベント種別を表示する（Ｓ４）。
【００３４】
日時情報が付加されているかどうかを判別し（Ｓ５）、付加されている場合には、日時情報を取得し（Ｓ６）、表示する（Ｓ７）。
【００３５】
記録モード情報があるかどうかを判別し（Ｓ８）、ある場合には、記録モードの種別を判別し（Ｓ９）、表示する（Ｓ１０）。
【００３６】
顔認識情報があるかどうかを判別し（Ｓ１１）、存在する場合には、顔アイコンを表示する（Ｓ１２）。
【００３７】
付加情報を選択するためのカーソル表示処理を行い（Ｓ１３）、処理を終了する。
【００３８】
図７は、図３に示す付加情報の表示に対し、ユーザが付加情報を選び、グルーピング画面表示処理を行う前までの処理のフローチャートである。
【００３９】
ユーザによるイベント情報（Ｓ２１）、撮影日情報（Ｓ２４）、記録モード情報（Ｓ２７）、及び顔認識情報（Ｓ３０）の選択を監視する。
【００４０】
イベント情報が選択された場合（Ｓ２１）、イベント情報の種別（ここでは「旅行」）を取得し（Ｓ２２）、取得した情報をキーとしてセットする（Ｓ２３）。撮影日情報が選択された場合（Ｓ２４）、撮影日情報を取得し（Ｓ２５）、キーとして設定する（Ｓ２６）。記録モード情報が選択された場合（Ｓ２７）、記録モード情報を取得し（Ｓ２８）、記録モード情報を検索キーとして設定する（Ｓ２９）。顔認識情報が選択されると（Ｓ３０）、顔認識情報を取得し（Ｓ３１）、顔認識情報をキーとして設定する（Ｓ３２）。
【００４１】
Ｓ２３，Ｓ２６，Ｓ２９，Ｓ３２の後、最初の記録画像情報に付加された付加情報内を、設定した検索キーにより検索する（Ｓ３３）。一致する情報がある場合（Ｓ３４）、検索結果リストにその画像に関する情報を追加する（Ｓ３５）。全画像情報に付加された付加情報を検索するまで（Ｓ３６）、付加情報内での検索と（Ｓ３７）、一致する情報がある場合の検索結果リストへの付加（Ｓ３４，Ｓ３５）を繰り返す。生成された検索結果リストは、検索キーによる検索でグルーピングされたシーン又は画像のグループ情報を示す。
【００４２】
図８は、図７で使用される検索結果リスト例である。システム制御部２４は、検索を行った付加情報のカテゴリ（この場合には「イベント」）と、その種別（この場合には「旅行」）を記憶する。その後、システム制御部２４は、付加情報を検索し、付加情報種別「旅行」に該当する画像についてのグループ情報を記憶する。記憶されるのは、例えば、画像情報名、撮影日時、記録モード、顔認識情報、記憶容量及び再生時間である。より一般的には、グループ情報は、検索された画像の合計再生時間、画像数及び合計記憶容量の何れか、並びに、検索された画像における選択された画像の再生開始時間、相対位置情報、及び検索画像における選択シーンの相対記憶容量の何れかを含む。図４及び図５での検索結果画面例では、ここで記録された検索結果リストを元にした情報が表示されることとなる。
【実施例２】
【００４３】
図１に示す実施例で、絞り込み検索を行う場合の動作を説明する。このとき、システム制御部２４は、特許請求の範囲の第１画像選択手段、第２画像選択手段、第１付加情報選択手段、第２付加情報選択手段、第１画像検索手段、第２画像検索手段、および、記憶手段として機能する。
【００４４】
図９は、図３に示す画面で、「フェイス」を設定した場合に移行するグルーピング画面例である。図９に示す画面に移行した時点では、カーソルはこの画面に移行する直前のサムネイル画像に置かれている。
【００４５】
図９では、他のグルーピングと同様の情報が表示されるが、左上のタイトルと顔認識対象の変更部分が異なる。タイトルは、「旅行」のイベント検索からさらに検索を行ったことを示す「旅行＞」の文字列と、さらなる絞込み情報として顔認識情報を示す「フェイスキャッチ」の文字列が併記されている。さらに、「Ａ子」で示される人物の顔認識情報が対象であることが、「Ａ子」の表記と中央の顔情報で示されている。顔認識対象「Ａ子」は、ユーザによって他の人物の顔情報に変更可能である。この場合、この「Ａ子」での検索画面と同様、イベント「旅行」での検索結果内での検索結果が反映される。
【００４６】
図１０は、図９に示す付加情報表示のための表示処理フローチャートである。まず、選択したシーンの位置に応じた吹き出し表示が行われる（Ｓ４１）。日時情報が付加されているかどうかを判別し（Ｓ４２）、付加されている場合には日時情報を取得し（Ｓ４３）、表示する（Ｓ４４）。記録モード情報があるかどうかを判別し（Ｓ４５）、ある場合には記録モードの種別を判別し（Ｓ４６）、表示する（Ｓ４７）。顔認識情報があるかどうかを判別し（Ｓ４８）、存在する場合には顔アイコンを表示する（Ｓ４９）。その後、付加情報を選択するためのカーソル表示処理を行い（Ｓ５０）、処理を終了する。
【００４７】
図１１は、図９に示すような付加情報表示に対して、ユーザが付加情報を選び、グルーピング画面表示処理を行う前までの処理のフローチャートである。
【００４８】
撮影日情報（Ｓ６１）、記録モード情報（Ｓ６４）及び撮影日情報（Ｓ６７）の選択が監視される。撮影日時情報が選択されると（Ｓ６１）、撮影日情報が取得され（Ｓ６２）、検索キーとして設定される（Ｓ６３）。記録モード情報が選択されると（Ｓ６４）、記録モード情報が取得され（Ｓ６５）、検索キーとして設定される（Ｓ６６）。顔認識情報が選択されると（Ｓ６７）、顔認識情報（ここでは「Ａ子」の名前データと顔認識情報）が取得され（Ｓ６８）、検索キーとして設定される（Ｓ６９）。
【００４９】
ステップＳ６３，Ｓ６６，Ｓ６９の後、グループ内の最初の画像情報に付加された付加情報内を、設定した検索キーで検索する（Ｓ７０）。一致する情報がある場合（Ｓ７１）、検索結果リストにその画像に関する情報を追加する（Ｓ７２）。全画像情報に付加された付加情報を検索するまで（Ｓ７３）、付加情報内での検索と（Ｓ７４）、一致する情報がある場合の検索結果リストへの付加（Ｓ７１，Ｓ７２）を繰り返す。
【００５０】
以上の処理を行うことによって、絞込み検索を可能とし、検索の自由度が向上する。
【符号の説明】
【００５１】
１４  メディア記録部
２０  画像合成部
２２  ＬＣＤ表示部
２４  システム制御部
【図１】
2011108190.tif 000003
【図２】
2011108190.tif 000004
【図３】
2011108190.tif 000005
【図４】
2011108190.tif 000006
【図５】
2011108190.tif 000007
【図６】
2011108190.tif 000008
【図７】
2011108190.tif 000009
【図８】
2011108190.tif 000010
【図９】
2011108190.tif 000011
【図１０】
2011108190.tif 000012
【図１１】
2011108190.tif 000013